【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
血管斑を有する患者を超音波を用いて掃引して、その内部領域の可視画像を提供するためのコントラスト剤であって、該コントラスト剤は水性キャリヤー中に脂質またはタンパク質、ガスまたはガス状前駆体、ターゲッティングリガンド、および場合によっては油から処方された標的小胞を含んでなり、上記ターゲッティングリガンドが血管斑に関連した細胞または受容体を標的とし且つ酸残基を含んでなることを特徴とする上記コントラスト剤。
【請求項２】
上記リン脂質がホスファチジルコリンおよびホスファチジルエタノールアミンからなる群から選択される、請求項1に記載のコントラスト剤。
【請求項３】
上記ホスファチジルコリンがジオレオイルホスファチジルコリン、ジミリストイルホスファチジルコリン、ジパルミトイルホスファチジルコリンおよびジステアロイルホスファチジルコリンからなる群から選択される、請求項2に記載のコントラスト剤。
【請求項４】
上記ホスファチジルエタノールアミンがジパルミトイルホスファチジルエタノールアミンを含んでなる、請求項2に記載のコントラスト剤。
【請求項５】
上記脂質が更にポリマーを含んでなる、請求項1に記載のコントラスト剤。
【請求項６】
上記ポリマーがポリエチレングリコールを含んでなる、請求項5に記載のコントラスト剤。
【請求項７】
上記ガスまたはガス状前駆体がペルフルオロカーボン化合物である、請求項1に記載のコントラスト剤。
【請求項８】
上記ペルフルオロカーボンがペルフルオロメタン、ペルフルオロエタン、ペルフルオロプロパン、ペルフルオロブタン、ペルフルオロシクロブタン、ペルフルオロペンタン、ペルフルオロヘキサン、ペルフルオロヘプタン、ペルフルオロオクタン、ペルフルオロノナン、ペルフルオロデカン、ペルフルオロデカリン、ペルフルオロウンデカン、ペルフルオロドデカン、およびそれらの混合物からなる群から選択される、請求項7に記載のコントラスト剤。
【請求項９】
上記ターゲッティングリガンドが上記酸残基を含む脂質を含んでなる、請求項1に記載のコントラスト剤。
【請求項１０】
上記ターゲッティングリガンドがホスファチジン酸、ホスファチジルセリンおよびホスファチジルイノシトールからなる群から選択される、請求項9に記載のコントラスト剤。
【請求項１１】
上記ターゲッティングリガンドが、ジパルミトイルホスファチジン酸であるホスファチジン酸である、請求項10に記載のコントラスト剤。
【請求項１２】
上記ターゲッティングリガンドが、ジパルミトイルホスファチジルセリンであるホスファチジルセリンである、請求項11に記載のコントラスト剤。
【請求項１３】
上記コントラスト剤が更に低粘度油を含んでなる、請求項1に記載のコントラスト剤。
【請求項１４】
上記油が、シリコーン油、タラ肝油、トリアセチン、鉱油、植物油、フッ素化トリグリセリド、生体適合性飽和脂肪酸、生体適合性不飽和脂肪酸、生体適合性部分水素化脂肪酸、シリコンを基剤とする油を含んでなる油、および合成油からなる群から選択される、請求項13に記載のコントラスト剤。
【請求項１５】
上記油が、単分子層脂質小胞、ユニラメラ脂質小胞、オリゴラメラ脂質小胞およびマルチラメラ脂質小胞からなる群から選択される小胞からなる請求項13に記載のコントラスト剤。
【請求項１６】
患者を超音波を用いて掃引して、患者の任意の斑の可視画像を得て、患者の血管斑の存在を診断するためのコントラスト剤であって、該コントラスト剤は水性キャリヤー中に脂質またはタンパク質、ガスまたはガス状前駆体、ターゲッティングリガンド、および場合によっては油から処方された標的小胞を含んでなり、上記ターゲッティングリガンドが血管斑に関連した細胞または受容体を標的とし且つ酸残基を含んでなることを特徴とする、上記コントラスト剤。
【請求項１７】
上記脂質がホスファチジルコリンおよびホスファチジルエタノールアミンからなる群から選択される、請求項16に記載のコントラスト剤。
【請求項１８】
上記ホスファチジルコリンがジオレオイルホスファチジルコリン、ジミリストイルホスファチジルコリン、ジパルミトイルホスファチジルコリンおよびジステアロイルホスファチジルコリンからなる群から選択される、請求項17に記載のコントラスト剤。
【請求項１９】
上記ホスファチジルエタノールアミンがジパルミトイルホスファチジルエタノールアミンを含んでなる、請求項17に記載のコントラスト剤。
【請求項２０】
上記脂質が更に両親媒性ポリマーを含んでなる、請求項16に記載のコントラスト剤。
【請求項２１】
上記両親媒性ポリマーがポリエチレングリコールを含んでなる、請求項20に記載のコントラスト剤。
【請求項２２】
上記ガスまたはガス状前駆体がペルフルオロカーボン化合物である、請求項16に記載のコントラスト剤。
【請求項２３】
上記ペルフルオロカーボン化合物が1から約12個の炭素を含む、請求項22に記載のコントラスト剤。
【請求項２４】
上記ターゲッティングリガンドが上記酸残基を含む脂質を含んでなる、請求項16に記載のコントラスト剤。
【請求項２５】
上記ターゲッティングリガンドが酸性リン脂質を含んでなる、請求項24に記載のコントラスト剤。
【請求項２６】
上記ターゲッティングリガンドがホスファチジン酸、ホスファチジルセリンおよびホスファチジルイノシトールからなる群から選択される、請求項25に記載のコントラスト剤。
【請求項２７】
上記ターゲッティングリガンドがジパルミトイルホスファチジルセリンであるホスファチジルセリンである、請求項26に記載のコントラスト剤。
【請求項２８】
上記コントラスト剤が更に低粘度油を含んでなる、請求項27に記載のコントラスト剤。
【請求項２９】
上記油が、シリコーン油、タラ肝油、鉱油、トリアセチン、植物油、フッ素化トリグリセリド、生体適合性飽和脂肪酸、生体適合性不飽和脂肪酸、生体適合性部分水素化脂肪酸、シリコンを基剤とする油を含んでなる油、および合成油からなる群から選択される、請求項28に記載のコントラスト剤。
【請求項３０】
上記小胞がユニラメラ脂質小胞、オリゴラメラ脂質小胞およびマルチラメラ脂質小胞からなる群から選択される、請求項16に記載のコントラスト剤。
【請求項３１】
血管斑を有する患者の部位へ生物活性薬をイン・ビボで治療送達するための処方物であって、該処方物は、脂質またはタンパク質、ガスまたはガス状前駆体、ターゲッティングリガンド、および場合によっては油から処方された小胞を含んでなる組成物であって、上記ターゲッティングリガンドが血管斑に関連した細胞または受容体を標的とし且つ酸残基を含んでなる上記組成物を、生物活性薬と組み合わせて含んでなることを特徴とする、上記処方物。
【請求項３２】
上記生物活性薬が血栓崩壊防止剤、スタチン、抗癌剤、および放射性材料からなる群から選択される、請求項31に記載の処方物。
【請求項３３】
超音波エネルギーを患者に加えて上記標的小胞から上記生物活性薬を放出するための、請求項32に記載の処方物。
【請求項３４】
患者を掃引して診断用画像化を行って標的部位の上記小胞を可視化する、請求項33に記載の処方物。
【請求項３５】
患者を掃引し、診断用画像化を行って上記斑を可視化し、超音波エネルギーを上記斑に加えることにより血管中の斑を溶解するための標的小胞組成物であって、該標的小胞組成物は脂質またはタンパク質、ガスまたはガス状前駆体、ターゲッティングリガンド、および場合によっては油から処方された小胞を含んでなり、上記ターゲッティングリガンドが血管斑に関連した細胞または受容体を標的とし且つ酸残基を含んでなることを特徴とする上記標的小胞組成物。
【請求項３６】
上記ターゲッティングリガンドがホスファチジン酸、ホスファチジルセリンおよびホスファチジルイノシトールからなる群から選択される、請求項35に記載の標的小胞組成物。
【請求項３７】
上記ターゲッティングリガンドが、ジパルミトイルホスファチジン酸であるホスファチジン酸である、請求項36に記載の標的小胞組成物。
【請求項３８】
上記ターゲッティングリガンドが、ジパルミトイルホスファチジルセリンであるホスファチジルセリンである、請求項37に記載の標的小胞組成物。
【請求項３９】
患者を超音波を用いて掃引して、患者の斑の可視画像を得て患者における血管斑の存在を診断するためのコントラスト剤であって、該コントラスト剤は水性キャリヤー中に脂質またはポリマー、ガスまたはガス状前駆体、ターゲッティングリガンド、および場合によっては油から処方された標的小胞を含んでなり、上記ターゲッティングリガンドが血管斑に関連した細胞または受容体を標的とし且つホスホリル化したセリン残基を含んでなることを特徴とする上記コントラスト剤。
【請求項４０】
血管斑を有するの患者の内部領域のターゲッティングに用いるための組成物であって、脂質またはタンパク質、ガスまたはガス状前駆体、ターゲッティングリガンド、および場合によっては油から処方された小胞を含んでなり、上記ターゲッティングリガンドが血管斑に関連した細胞または受容体を標的とし且つ酸残基を含んでなる、上記組成物。
【請求項４１】
上記脂質がホスファチジルコリンおよびホスファチジルエタノールアミンからなる群から選択される、請求項40に記載の組成物。
【請求項４２】
上記ホスファチジルコリンがジオレオイルホスファチジルコリン、ジミリストイルホスファチジルコリン、ジパルミトイルホスファチジルコリンおよびジステアロイルホスファチジルコリンからなる群から選択される、請求項41に記載の組成物。
【請求項４３】
上記ホスファチジルエタノールアミンがジパルミトイルホスファチジルエタノールアミンを含んでなる、請求項41に記載の組成物。
【請求項４４】
上記脂質が両親媒性ポリマーを含んでなる、請求項40に記載の組成物。
【請求項４５】
上記両親媒性ポリマーがポリエチレングリコールを含んでなる、請求項44に記載の組成物。
【請求項４６】
上記ガスまたはガス状前駆体がペルフルオロカーボン化合物を含んでなる、請求項40に記載の組成物。
【請求項４７】
上記ペルフルオロカーボンが、ペルフルオロメタン、ペルフルオロエタン、ペルフルオロプロパン、ペルフルオロブタン、ペルフルオロシクロブタン、ペルフルオロペンタン、ペルフルオロヘキサン、ペルフルオロヘプタン、ペルフルオロオクタン、ペルフルオロノナン、ペルフルオロデカン、ペルフルオロデカリン、ペルフルオロウンデカン、ペルフルオロドデカン、およびそれらの混合物からなる群から選択される、請求項46に記載の組成物。
【請求項４８】
上記ターゲッティングリガンドが、ホスファチジン酸、ホスファチジルセリンおよびホスファチジルイノシトールからなる群から選択される、請求項47に記載の組成物。
【請求項４９】
上記ターゲッティングリガンドが、ジパルミトイルホスファチジルセリンであるホスファチジルセリンである、請求項48に記載の組成物。
【請求項５０】
更に低粘度油を含んでなる、請求項49に記載の組成物。
【請求項５１】
上記油が、シリコーン油、タラ肝油、鉱油、トリアセチン、植物油、フッ素化トリグリセリド、生体適合性飽和脂肪酸、生体適合性不飽和脂肪酸、生体適合性部分水素化脂肪酸、シリコンを基剤とする油を含んでなる油、および合成油からなる群から選択される、請求項50に記載の組成物。
【請求項５２】
上記小胞がユニラメラ脂質小胞、オリゴラメラ脂質小胞およびマルチラメラ脂質小胞からなる群から選択される、請求項51に記載の組成物。
【請求項５３】
更に生物活性薬を含んでなる、請求項52に記載の組成物。
【請求項５４】
上記生物活性薬が血栓崩壊防止剤、スタチン、抗癌剤、および放射性材料からなる群から選択される、請求項53に記載の組成物。
【請求項５５】
血管斑を有する患者の内部領域のターゲッティングに用いるための組成物であって、脂質またはポリマー、ガスまたはガス状前駆体、ターゲッティングリガンド、および場合によっては油から処方された小胞を含んでなり、上記ターゲッティングリガンドが血管斑に関連した細胞または受容体を標的とし且つホスホリル化したセリン残基を含んでなる、上記組成物。
【請求項５６】
血管斑を有する患者の治療または診断に使用するための処方物であって、脂質またはタンパク質、ガスまたはガス状前駆体、ターゲッティングリガンド、および場合によっては油から処方された小胞を含んでなり、上記ターゲッティングリガンドが血管斑に関連した細胞または受容体を標的とし且つ酸残基を含んでなる組成物を生物活性薬と組み合わせて含んでなる、上記処方物。
【請求項５７】
血管斑を有する患者の治療または診断に使用する処方物であって、脂質またはポリマー、ガスまたはガス状前駆体、ターゲッティングリガンド、および場合によっては油から処方された小胞を含んでなり、上記ターゲッティングリガンドが血管斑に関連した細胞または受容体を標的とし且つホスホリル化したセリン残基を含んでなる組成物を生物活性薬と組み合わせて含んでなる、上記処方物。
【請求項５８】
血管斑を有する患者の部位のターゲッティングに用いる組成物の製造方法であって、脂質またはタンパク質、ガスまたはガス状前駆体、ターゲッティングリガンド、および場合によっては油を一緒に組合せることを含み、上記ターゲッティングリガンドが血管斑に関連した細胞または受容体を標的とし且つ酸残基を含んでなるものである、上記方法。
【請求項５９】
上記組成物が小胞を含んでなる、請求項58に記載の方法。
【請求項６０】
血管斑を有する患者の部位のターゲッティングに用いる組成物の製造方法であって、脂質またはポリマー、ガスまたはガス状前駆体、ターゲッティングリガンド、および場合によっては油を一緒に組合せることを含み、上記ターゲッティングリガンドが血管斑に関連した細胞または受容体を標的とし且つホスホリル化したセリン残基を含んでなるものである、上記方法。
【請求項６１】
血管斑を有する患者の治療または診断に用いる処方物の製造方法であって、生物活性薬、脂質またはタンパク質、ガスまたはガス状前駆体、ターゲッティングリガンド、および場合によっては油を一緒に組合せることを含み、上記ターゲッティングリガンドが血管斑に関連した細胞または受容体を標的とし且つ酸残基を含んでなるものである、上記方法。
【請求項６２】
上記処方物が脂質小胞を含んでなる、請求項61に記載の方法。
【請求項６３】
血管斑を有する患者の治療または診断に用いる処方物の製造方法であって、生物活性薬、脂質またはポリマー、ガスまたはガス状前駆体、ターゲッティングリガンド、および場合によっては油を一緒に組合せることを含み、上記ターゲッティングリガンドが血管斑に関連した細胞または受容体を標的とし且つホスホリル化したセリン残基を含んでなるものである、上記方法。